(57)【要約】  本発明は、通信端末に着信を光学的に知らせる装置に関する。通信端末は、音響信号で着信を知らせる音響手段を有しており、この装置は、光学信号で着信を知らせる光源（２００Ａ，２００Ｂ）を有しており、この装置は、光学信号が音響信号のパラメータに依存するように音響手段が光学手段に結合されている。例えば、光学信号を、音響信号の周波数、又は音響信号の個々のトーンの時間順に依存させることができる。
2008503111.tif 000002
【特許請求の範囲】
【請求項１】
通信端末に着信を光学的に知らせる装置であって、
前記通信端末は、音響信号で着信を知らせる音響手段を有しており、
前記装置は、光学信号で前記着信を知らせる光源を有しており、
前記装置は、前記音響手段に結合されたタイミング手段であって、前記光学信号が前記音響信号の個々のトーンの時間順に依存するように、制御信号を前記光源に送るタイミング手段、を更に有している、装置。
【請求項２】
前記音響信号の振幅を検出するエンベロープ検出器と、前記振幅が所定のしきい値を超える場合はパルス信号を発生するしきい値コンパレータと、を更に有する、請求項１に記載の装置。
【請求項３】
前記しきい値コンパレータは、調節可能なヒステリシスコンパレータである、請求項２に記載の装置。
【請求項４】
前記装置はダイナミック検出器を更に有し、前記ダイナミック検出器は、前記音響信号の個々のトーンの振幅に従って前記しきい値コンパレータを制御する、請求項２に記載の装置。
【請求項５】
前記ダイナミック検出器はローパスフィルタである、請求項４に記載の装置。
【請求項６】
前記装置は、前記光源に結合されるシフトレジスタを更に有し、前記しきい値コンパレータの出力が前記シフトレジスタのクロック信号としての役割をする、請求項４に記載の装置。
【請求項７】
前記しきい値コンパレータの出力を受け取る信号停止検出器であって、前記音響信号が停止の場合は前記シフトレジスタの方向反転入力部に方向反転信号を送る信号停止検出器、を更に有する、請求項６に記載の装置。
【請求項８】
前記光源は、ランニング光で連続的に発光するように空間的に所定の順序に配されている、請求項６に記載の装置。
【請求項９】
請求項１に記載の装置を有する通信端末。
【発明の詳細な説明】
【技術分野】
【０００１】
本発明は、通信端末の着信を光学的に知らせる装置に関する。これは、例えば、携帯電話に使用することができる。
【背景技術】
【０００２】
通信端末は、音響的な呼出信号では気が付かない騒がしい環境でしばしば使用される。また、或る環境では、騒がしい原因にならないようにするため、音響的な呼出信号を起動しなようにし、代わりに光学的な呼出信号又はバイブレータによって着信を知らせることが慣習的である。
【０００３】
既知の通信端末は、着信があった場合には、連続光又は点滅光によりディスプレイ点灯又はキーパッド点灯を作動させる。
【０００４】
斯かる通信端末の例が、米国特許６，６１８，６０１号に開示されている。この米国特許は、携帯電話の着信表示装置に関し、特に、携帯電話本体から突出するようにこの電話機本体に取り付けられた携帯電話の着信表示装置に関する。この米国特許の目的は、簡単な構成で、かつ、発光視認範囲が広く、着信状態を良好に視認することができる携帯電話の着信表示装置を提供することである。
【０００５】
着信表示装置は、アンテナ本体の基端部において、このアンテナ本体と携帯電話本体との間に、リング状の透光部材が配され、アンテナ本体を固定する固定部材の中空部に導光部材が備えられ、この導光部材の先端部が透光部材の中空部に配され、着信信号を受けて作動する発光素子が、導光部材の下端部の光導入部に対向するように備えられた構成となってる。携帯電話で着信信号が検出されると、発光素子が駆動して点滅又は点灯するように発光する。
【発明の開示】
【発明が解決しようとする課題】
【０００６】
本発明の目的は、上記の先行技術による解決策とは別の解決策であって、音響信号で着信を知らせる音響手段を有する通信端末のユーザにとって更に魅力的な解決策を提供する。
【課題を解決するための手段】
【０００７】
この目的のため、本発明による着信を光学的に知らせる装置は、光学信号で上記着信を知らせる光学手段を有しており、更に、光学信号が音響信号のパラメータに依存するように音響手段が光学手段に結合されることを特徴とする。
【０００８】
斯かる装置により、通信端末のユーザが、魅力的で見やすい個人用の光学的な呼出信号が利用できるように、光学的な呼出信号を、自由に選択可能な音響信号に結合することが可能となる。言い換えると、この装置は、音響信号の一連の音を分析し、光学呼出信号を音響信号の関数として実現する。
【０００９】
本発明の一実施例によれば、光学的に知らせる装置は、音響手段に結合された周波数分割回路網であって、光学信号が音響信号の周波数に依存するように制御信号を光学手段に送る周波数分割回路網を有している。
【００１０】
本発明の別の実施例によれば、光学的に知らせる装置は、音響手段に結合されたしきい値コンパレータであって、上記光学信号が上記音響信号の個々のトーンの時間順に依存するように、制御信号を光学手段に送るしきい値コンパレータ、を有している。上記装置はダイナミック検出器を更に有し、上記ダイナミック検出器が、上記音響信号の個々のトーンの振幅に従って上記しきい値コンパレータを制御してもよい。
【００１１】
光学手段は少なくとも２つの光源を有することが有利である。この少なくとも２つの光源を別々に駆動することが可能であり、したがって、ユーザにとって更に魅力的である光学信号を発することが可能である。光源は発光ダイオードとすることができる。例えば、光学手段は、光源の複数のグループを有しており、各グループは、並列に接続された複数の光源を有しており、これらのグループは連続的に動作する。上記光源は、ランニング光で連続的に発光するように空間的に所定の順序に配することができる。光学的に知らせる装置は、特定のイベントを検出する手段と、この特定のイベントの検出に応答してランニング光の方向を反対にする手段と、を更に有していてもよい。この特定のイベントは、例えば、音響信号の停止である。
【００１２】
本発明は、このような光学的に知らせる装置を有する通信装置にも及ぶものである。
【００１３】
本発明のこれらの及び他の態様は、明細書に記載されている実施例から明らかであり、この実施例を基準にして説明されている。
【００１４】
本発明の実施例が、添付された図面を基準にして、一例として記載されている。
【発明を実施するための最良の形態】
【００１５】
図１は、周囲部発光バンド２００Ａと発光可能なキーパッド２００Ｂとを有する携帯電話１００を示す。キーパッド２００Ｂは、互いに無関係に個別に発光できる複数のキーを有している。
【００１６】
図２には、光呼出信号を音響信号（以下、呼出音と呼ぶ）の周波数（又はピッチ）に適合させる、本発明による着信を光学的に知らせる装置のブロック図が示されている。図２では、数学記号ｎが使用されていることは、同様の経路（chain）又は回路部品の数が限定されず、ｎ個に拡張できることを示している。したがって、数学記号ｎは、ゼロより大きい整数である。本発明による着信を光学的に知らせる装置は、呼出音発生器１０１と、スピーカ１０２と、ｎ個のバンドバスフィルタ３０１〜３０ｎと、ｎ個のトリガコンパレータを有する回路４０１と、ｎ個の整流器を有する整流回路４０２と、ｎ個のドライバ段を有する駆動回路４０３と、ｎ個の光信号回路２０１〜２０ｎを有する光呼出信号手段２００と、を有している。着信を光学的に知らせる装置の動作モードは、以下に記載されている。
【００１７】
呼出音発生器１０１によって呼出音信号Ｔが生成される。この呼出音信号はスピーカ１０２に伝送され、この呼出音信号は、ここでは、更に、光呼出信号ユニット２００の駆動信号としても使用される。この目的のため、呼出音信号Ｔは、バンドパスフィルタ３０１〜３０ｎにより形成された周波数分割回路網に送られる。第１のバンドパスフィルタ３０１の下限周波数はｆ１であり、上限周波数はｆ２である。第２のバンドパスフィルタ３０２の下限周波数はｆ２であり、これは第１のバンドパスフィルタ３０１の上限周波数に一致している。第２のバンドパスフィルタ３０２の上限周波数はｆ３である。バンドパスフィルタ３０１〜３０ｎの上限周波数および下限周波数は、ｎ番目のバンドパスフィルタ３０ｎの下限周波数がｆｎであり、上限周波数がｆn+1であるように、続けて選択される。言い換えると、ｎ個のバンドパスフィルタは、下限周波数および上限周波数が異なるが隣接しており、ｆ１＜ｆ２＜ｆ３＜...＜ｆｎ＜ｆn+1であるバンドパスフィルタである。
【００１８】
バンドパスフィルタ３０１〜３０ｎの出力信号は、整流回路４０２によって直流電圧信号に変換される前に、シュミットトリガコンパレータ４０１によって、呼出音信号Ｔに依存しない振幅になる。駆動回路４０３は、後段の光信号回路（又は光源）２０１〜２０ｎを動作させるのに必要な電圧レベルおよび電流レベルを供給する。光信号回路２０１〜２０ｎは、例えば、カラー発光ダイオードＬＥＤにより設計できる。
【００１９】
図３は、光呼出信号を呼出音の個々のトーンの時間順に適合させる本発明の着信を光学的に知らせる装置のブロック図を示す。図１および図２で使用されるのと同一のアセンブリは、同一の符号が付されており、以下で再度説明することはしない。
【００２０】
呼出音信号Ｔは、先ず、呼出音の振幅を検出するエンベロープ検出器５０５に供給される。次いで、エンベロープ検出器の出力がしきい値コンパレータ５１０に供給される。このしきい値コンパレータ５１０は、しきい値コンパレータ５１０の値を超える呼出音信号Ｔの信号振幅を、デジタル信号のhigh値に対応する最大振幅に上げる。しきい値コンパレータ５１０は、例えば、調整可能な正の比較値のヒステリシスコンパレータであり、このコンパレータは、入力信号が所定のしきい値を超えるとパルスを発生する。
【００２１】
さらに、エンベロープ検出器の出力は、ダイナミック検出器５２０にも供給される。このダイナミック検出器５２０は、呼出音信号Ｔの平均振幅に従ってしきい値コンパレータ５１０の値を調整する。これにより、専ら、十分に大きい呼出音を処理することが保証される。ダイナミック検出器５２０は、例えばローパスフィルタである。しきい値コンパレータ５１０の出力信号は、シフトレジスタ５４０のクロック入力部ＣＬＫに接続されており、このシフトレジスタ５４０用のクロック信号としての役割をする。
【００２２】
さらに、しきい値コンパレータ５１０の出力信号は、信号停止検出器５３０に供給される。この信号停止検出器５３０の出力部は、シフトレジスタ５４０の方向反転入力部ＳＬ／ＳＲに接続されている。これにより、呼出音信号Ｔの一連の音が長時間停止している場合は、シフトレジスタ５４０のシフト方向が、（例えば、シフトレフトＳＬからシフトライトＳＲに）反転する。光信号回路２０１〜２０ｎのグループは、シフトレジスタ５４０の出力部に接続され、呼出音の時間順に依存するランニング光（running light）を表示する。
【００２３】
図４は、図３の着信を光学的に知らせる装置に含まれる、エンベロープ検出器、しきい値コンパレータ、ダイナミック検出器、および停止検出器の、入力部および出力部における信号波形を示す図である。
【００２４】
図５は、本発明による発光バンドの詳細な電気的デザインの一例を示す。図５では、発光バンドが５個の光源グループ２０１〜２０５を有している。各グループは、電気的に並列に接続された４つの光源２１１−２１５、２２１−２２５、２３１−２３５、および２４１−２４５を有している。光源２１１〜２４５はＬＥＤで表されている。光源グループ２０１は、制御入力部Ｓ１を介して作動する。同様に、光源グループ２０２は、制御入力部Ｓ２に割り当てられている。同様に、他の光源グループ２０３〜２０５に対し制御入力部Ｓ３〜Ｓ５が対応する。制御入力部Ｓ１〜Ｓ５と光源グループ２０１〜２０５との間に抵抗器アレイ６００が接続されており、抵抗器アレイ６００は光源２１１〜２４５に流れる電流を制限するために使用される。発光バンドに組み込まれる全ての光源２１１〜２４５は、共通のカソード端子Ｋを有している。
【００２５】
図６は、図５に示す光源の、携帯電話における機械的配置を示す。駆動回路は、例えば、光呼出信号を呼出音の個々のトーンの時間順に適合させる図３の構造である。
【００２６】
添え字Ａは、光源２１１Ａ〜２４５Ａが発光バンドの一部を形成することを示すためのものである。機械的な配列は、各グループの４つの光源（例えば、２１１Ａ−２２１Ａ−２３１Ａ−２４１Ａ）が同時に発光し、呼出音信号Ｔの次のビートで、回転方向に隣接するグループの光源２１２Ａ−２２２Ａ−２３２Ａ−２４２Ａが発光機能を引き継ぐように、構成されている。これにより、ランニング光を生成できる。
【００２７】
添え字Ｂは、光源２１１Ｂ〜２３５Ｂがキーパッド光源の一部を形成することを示すためのものである。この例による装置は、行ごとにキーパッドを発光させることによってランニング光を実現する。
【００２８】
本発明の幾つかの実施例がほんの一例として記載されており、当業者には、特許請求の範囲に規定された本発明の範囲を逸脱することなく上記の実施例を修正および変形できることが明らかである。例えば、光呼出信号は、音響信号の振幅の値に依存させることができる。別の例では、キーパッドのキーを個別に発光させることができる。
【００２９】
用語「有する」は、請求項に記載された以外の構成要素又はステップの存在を排除するものではない。用語が単数であることは、複数の存在を排除するものではない。本発明は、幾つかの個別の素子を有するハードウェアによって、および適切にプログラムされたコンピュータによって、実現することができる。幾つかの手段が列挙されている装置の請求項において、これらの手段の幾つかを、同じ一つのハードウェアに実現することができる。手段が相互に異なる独立項に記載されているという単なる事実は、これらの手段の組合せを有利に使用することはできないことを示すものではない。
【図面の簡単な説明】
【００３０】
【図１】本発明による着信を光学的に知らせる装置を有する携帯電話を示す図である。
【図２】光学的な呼出信号を音響信号の周波数に適合させる、本発明の第１の実施例による着信を光学的に知らせる装置のブロック図である。
【図３】光学的な呼出信号を音響信号の個々のトーンの時間順に適合させる、本発明の別の実施例による着信を光学的に知らせる装置のブロック図である。
【図４】図３の着信を光学的に知らせる装置に含まれる、エンベロープ検出器、しきい値コンパレータ、ダイナミック検出器、および停止検出器の、入力部および出力部における信号波形を示す図である。
【図５】本発明による発光バンドの一例のブロック図を示す。
【図６】本発明による発光バンドの詳細な電気的デザインの一例を示す図である。
【図１】
2008503111.tif 000003
【図２】
2008503111.tif 000004
【図３】
2008503111.tif 000005
【図４】
2008503111.tif 000006
【図５】
2008503111.tif 000007
【図６】
2008503111.tif 000008
【国際調査報告】
2008503111.tif 000009
2008503111.tif 000010
2008503111.tif 000011